(57)【要約】【課題】  本発明は、遊技機の強度を保ちながら、遊技盤保持空間を拡大して遊技盤の寸法を十分に拡大することが可能な遊技機を提供する。【解決手段】  遊技盤を囲繞するとともに着脱自在に保持可能な上下左右の囲繞枠部を備える第１の機枠と、第１の機枠を囲繞するとともに開閉自在に収容可能な上下左右の収容枠部を備える第２の機枠とを有する遊技機において、左右の囲繞枠部と左右の収容枠部は、遊技機の前後方向後方端側に夫々遊技機内側方向に向かって隆起した第１隆起部と第２隆起部を形成するとともに、第１隆起部と第２隆起部の前方に、第１隆起部よりも幅薄な第１薄型部と、第２隆起部よりも幅薄な第２薄型部とを遊技機の前後方向前端に向かって夫々形成しており、第１薄型部と第２薄型部は、第１の機枠を第２の機枠に収容した状態において相対向するように形成されていることにより、遊技機の強度を保ちながら、遊技盤保持空間を拡大して遊技盤の寸法を十分に拡大することが可能な遊技機が提供される。【選択図】  図３
2006320449.tif 000002
【特許請求の範囲】
【請求項１】
遊技盤を囲繞するとともに着脱自在に保持可能な上下左右の囲繞枠部を備える第１の機枠と、第１の機枠を囲繞するとともに開閉自在に収容可能な上下左右の収容枠部を備える第２の機枠とを有する遊技機において、
左右の囲繞枠部と左右の収容枠部は、遊技機の前後方向後方端側に夫々遊技機内側方向に向かって隆起した第１隆起部と第２隆起部を形成するとともに、第１隆起部と第２隆起部の前方に、第１隆起部よりも幅薄な第１薄型部と、第２隆起部よりも幅薄な第２薄型部とを遊技機の前後方向前端に向かって夫々形成しており、
第１薄型部と第２薄型部は、第１の機枠を第２の機枠に収容した状態において相対向するように形成されている、ことを特徴とする遊技機。
【請求項２】
遊技盤を囲繞するとともに着脱自在に保持可能な上下左右の囲繞枠部を備える第１の機枠と、第１の機枠を囲繞するとともに開閉自在に収容可能な上下左右の収容枠部を備える第２の機枠とを有する遊技機において、
第１の機枠は、左右の囲繞枠部と遊技盤側面との対向部位の後端位置よりも後方に位置する左右の囲繞枠部後方部分に第１の機枠の内側方向に隆起した第１隆起部を形成し、左右の囲繞枠部における第１隆起部の前方に第１隆起部よりも幅薄な第１薄型部を形成しており、
第２の機枠は、左右の収容枠部と第１薄型部との対向部位の後端位置よりも後方に位置する左右の収容枠部後方部分に第２の機枠の内側方向に隆起した第２隆起部を形成し、左右の収容枠部における第２隆起部の前方に第２隆起部よりも幅薄な第２薄型部を形成しており、
第２隆起部は、第２の機枠に収容された第１の機枠の開閉に伴ない第１隆起部の通過する第２の機枠内側の空間よりも外側に形成されている、ことを特徴とする遊技機。
【請求項３】
第１薄型部は、第１の機枠の外側方向に部分的に幅厚にして第１部分幅厚部を形成し、第２薄型部は、第２の機枠の内側方向及び／又は外側方向に部分的に幅厚にして第２部分幅厚部を形成しており、
第１部分幅厚部と第２部分幅厚部および第１隆起部と第２隆起部は夫々中空に形成されている、ことを特徴とする請求項１又は２記載の遊技機。
【請求項４】
第１の機枠を第２の機枠に収容した状態において、第１部分幅厚部と第２部分幅厚部、および、第１隆起部と第２隆起部は、遊技機の前後方向に交互にずれた位置に配設されている、ことを特徴とする請求項３記載の遊技機。
【請求項５】
第１の機枠を第２の機枠に収容した状態において、第１部分幅厚部は第２部分幅厚部よりも遊技機の前後方向前方側に配置され、第１隆起部は、第２部分幅厚部よりも遊技機の前後方向後方側、且つ、第２隆起部よりも遊技機の前後方向前方側に配置されている、ことを特徴とする請求項３記載の遊技機。
【請求項６】
第２部分幅厚部は、第２の機枠に収容された第１の機枠の開閉に伴ない第１隆起部の通過する第２の機枠内側の空間よりも外側に形成されている、ことを特徴とする請求項３から５のいずれかに記載の遊技機。
【発明の詳細な説明】
【技術分野】
【０００１】
本発明は、パチンコ機のように、複数の機枠から構成される遊技機に関する。
【背景技術】
【０００２】
パチンコ機などの遊技機は、例えば縦長な矩形枠状に形成された外枠と、外枠に取付けられ開口領域に遊技盤を着脱自在に保持可能な遊技盤保持空間を備えた中枠と、その中枠の前面に取付けられる前枠などといった複数の機枠を備えて構成され、それら複数の機枠や遊技盤には、遊技用の様々な部品や部材が取付けられている。
【０００３】
近年、遊技盤の遊技領域に配設される図柄表示装置やその他の装飾部材などが大型化している。これらの部材が大型化すると、遊技盤における遊技球の流路が狭まるから、遊技球の流路を確保するべく遊技盤の遊技領域を拡大することが望まれる。
【０００４】
遊技領域を拡大するには、遊技盤を大型化しなければならず、それを保持する遊技盤保持空間を拡大しなければならない。それには、遊技機の外枠の外形寸法を大きくして、これに保持される中枠を拡大可能にし、遊技盤保持空間を拡大することが簡単である。しかし、遊技機の設置される遊技島において遊技機設置スペースの寸法が一定に定まっている為、外枠の外形寸法を大きくすることはできない。
【０００５】
外枠の外形寸法を拡大せずに遊技盤保持空間を拡大するには、外枠の厚みを薄くして、中枠を取付ける領域の拡大を図ることで、遊技盤保持空間の拡大を図ることが考えられる。しかしながら、単に外枠の厚みを薄くするだけでは、遊技機全体の強度が低下してしまい、遊技機を遊技島に設置するために遊技機を移送するような際に遊技機に容易に破損を生じる虞がある。
【０００６】
そこで、特許文献１には、遊技盤、打球部、表枠を取付ける機枠であって、門形状の囲繞枠を構成する左右の縦枠部分及び上方の横枠部分を、複数の機能を果たす所定断面形状の押出成形材と成し、各枠部分を連結したパチンコ機の遊技機枠が提案されている。この遊技機枠では、囲繞枠を構成する押出成形材はアルミニウム製である。また、この遊技機枠は、その一側端を木製の外枠に開閉自在に枢着されている。
【０００７】
特許文献２には、遊技機を着脱自在に保持可能な遊技盤保持部を備える第一の機枠と、上下左右の枠部からなり枠部にて囲繞され第一の機枠を開閉自在に収納可能な第二の機枠とを含む複数の機枠から構成される遊技機であって、第二の機枠の上下左右の枠部のうち、少なくとも一部の枠部は、第二の機枠に第一の機枠を収容した場合に遊技機保持部に対向する部位を含む第二の機枠の開方向に位置する前端側が、平板状の平坦部として形成され、平坦部が形成されている枠部の遊技盤保持部に対向する部位を含まない後端側が、第一の機枠の収容側に隆起し平坦部に比して幅の広い隆起部として形成されている遊技機が提案されている。
【０００８】
【特許文献１】特開２００２−１２６２９４号公報
【特許文献２】特開２００５−１３５８６号公報
【発明の開示】
【発明が解決しようとする課題】
【０００９】
特許文献１の遊技機によれば、囲繞枠を金属のアルミニウム製としているから、囲繞枠の厚みを薄くしつつ遊技機の強度を確保することはできる。しかしながら、アルミニウム製であるのは囲繞枠であり、外枠の構成については何ら提案されていない。すると、この遊技機によれば、囲繞枠の厚みを薄くできるにとどまり、囲繞枠の厚みを薄くできる分だけ遊技盤の寸法を拡張できるに留まる。
また、この遊技機では、囲繞枠はその全体を金属で構成しているため、樹脂等を用いる場合に比べて囲繞枠形状を自由に設計して成形することが難しいという問題がある。
【００１０】
特許文献２の遊技機によれば、第二の機枠に平板状の平坦部が成形されることで、第一の機枠の寸法を拡張でき、これに伴なって遊技盤の寸法も拡張できる。
しかしながら、この遊技機では、第二の機枠の構成についての提案にとどまり、第二の機枠の厚みを薄くできる分だけ遊技盤の寸法を拡張できるに留まる。
【００１１】
本発明は、本発明は上記したような従来技術の欠点を解消するためになされたものであり、遊技機の強度を保ちながら、遊技盤保持空間を拡大して遊技盤の寸法を十分に拡大することが可能な遊技機を提供することを目的とする。
【課題を解決するための手段】
【００１２】
本発明は、（１）遊技盤を囲繞するとともに着脱自在に保持可能な上下左右の囲繞枠部を備える第１の機枠と、第１の機枠を囲繞するとともに開閉自在に収容可能な上下左右の収容枠部を備える第２の機枠とを有する遊技機において、左右の囲繞枠部と左右の収容枠部は、遊技機の前後方向後方端側に夫々遊技機内側方向に向かって隆起した第１隆起部と第２隆起部を形成するとともに、第１隆起部と第２隆起部の前方に、第１隆起部よりも幅薄な第１薄型部と、第２隆起部よりも幅薄な第２薄型部とを遊技機の前後方向前端に向かって夫々形成しており、第１薄型部と第２薄型部は、第１の機枠を第２の機枠に収容した状態において相対向するように形成されている、ことを特徴とする遊技機、（２）遊技盤を囲繞するとともに着脱自在に保持可能な上下左右の囲繞枠部を備える第１の機枠と、第１の機枠を囲繞するとともに開閉自在に収容可能な上下左右の収容枠部を備える第２の機枠とを有する遊技機において、第１の機枠は、左右の囲繞枠部と遊技盤側面との対向部位の後端位置よりも後方に位置する左右の囲繞枠部後方部分に第１の機枠の内側方向に隆起した第１隆起部を形成し、左右の囲繞枠部における第１隆起部の前方に第１隆起部よりも幅薄な第１薄型部を形成しており、第２の機枠は、左右の収容枠部と第１薄型部との対向部位の後端位置よりも後方に位置する左右の収容枠部後方部分に第２の機枠の内側方向に隆起した第２隆起部を形成し、左右の収容枠部における第２隆起部の前方に第２隆起部よりも幅薄な第２薄型部を形成しており、第２隆起部は、第２の機枠に収容された第１の機枠の開閉に伴ない第１隆起部の通過する第２の機枠内側の空間よりも外側に形成されている、ことを特徴とする遊技機、（３）第１薄型部は、第１の機枠の外側方向に部分的に幅厚にして第１部分幅厚部を形成し、第２薄型部は、第２の機枠の内側方向及び／又は外側方向に部分的に幅厚にして第２部分幅厚部を形成しており、第１部分幅厚部と第２部分幅厚部および第１隆起部と第２隆起部は夫々中空に形成されている、ことを特徴とする上記（１）又は（２）記載の遊技機、（４）第１の機枠を第２の機枠に収容した状態において、第１部分幅厚部と第２部分幅厚部、および、第１隆起部と第２隆起部は、遊技機の前後方向に交互にずれた位置に配設されている、ことを特徴とする上記（３）記載の遊技機、（５）第１の機枠を第２の機枠に収容した状態において、第１部分幅厚部は第２部分幅厚部よりも遊技機の前後方向前方側に配置され、第１隆起部は、第２部分幅厚部よりも遊技機の前後方向後方側、且つ、第２隆起部よりも遊技機の前後方向前方側に配置されている、ことを特徴とする上記（３）記載の遊技機、（６）第２部分幅厚部は、第２の機枠に収容された第１の機枠の開閉に伴ない第１隆起部の通過する第２の機枠内側の空間よりも外側に形成されている、ことを特徴とする上記（３）から（５）のいずれかに記載の遊技機、を要旨とする。
【発明の効果】
【００１３】
本発明の遊技機によれば、第１の機枠と第２の機枠にそれぞれ第１薄型部と第２薄型部とが相対向するように形成されるので、第１の機枠と第２の機枠との間のデッドスペースを小さくすることができ、スペース効率を向上させる。そして、第１の機枠の第１薄型部は、これに遊技盤の側面が対向しているように形成される。したがって、この遊技機では、第１薄型部と第２薄型部とが相俟って遊技盤保持空間の拡大に寄与することができ、遊技盤を配設可能な領域を十分に拡大することができる。
【００１４】
また、本発明の遊技機によれば、第１の機枠と第２の機枠にはそれぞれ第１隆起部、第２隆起部が形成されているから、第１薄型部と第２薄型部が形成されて、遊技機の機枠の厚みが薄くなっても、遊技機の強度を十分に確保できる。
【００１５】
本発明の遊技機においては、第２薄型部は、第２隆起部よりも第１の機枠前方側の位置、すなわち第１の機枠の内側から遊技盤を取出す方向側の位置に配置されている。また遊技機においては、第２薄型部は第２隆起部よりも厚みが薄いから、第２薄型部は遊技盤の取出しの障害にはならない。したがって、本発明の遊技機によれば、第２の機枠に第１の機枠が装着されたままの状態でも容易に遊技盤の着脱を行うことができ、遊技盤の着脱作業を容易に行うことができる。
【００１６】
本発明の遊技機によれば、第１薄型部、第２薄型部を部分的に幅厚にして第１部分幅厚部、第２部分幅厚部を形成できる。このような遊技機によれば、遊技機の強度を向上させることができる。
【００１７】
また、本発明の遊技機においては、第１隆起部、第２隆起部、第１部分幅厚部、第２部分幅厚部が中空に形成されてもよく、これらが中実に形成されている場合と比較して軽量な機枠を提供できる。
【００１８】
本発明の遊技機においては、第２隆起部や第２部分幅厚部は、第２の機枠に収容された第１の機枠の開閉に伴ない第１隆起部の通過する第２の機枠の内側の空間領域よりも外側に形成される。こうすることで、遊技機は、第１の機枠を第２の機枠に対して収容したり開放したりする際に第２隆起部や第２部分幅厚部が障害となる虞を低減できる。
【００１９】
本発明の遊技機においては、第１の機枠を第２の機枠に収容した状態において、第１部分幅厚部は第２部分幅厚部よりも遊技機の前後方向前方側に配置され、第１隆起部は、第２部分幅厚部よりも遊技機の前後方向後方側、且つ、第２隆起部よりも遊技機の前後方向前方側に配置されていると、第１部分幅厚部と第２部分幅厚部、および、第１隆起部と第２隆起部が遊技機の前後方向に交互にずれた位置に配設される。このような遊技機によれば、第１部分幅厚部と第２部分幅厚部を設けて遊技機の強度を一層向上させても、これらによって第１の機枠と第２の機枠との間にデッドスペースが生じてしまう虞を低減でき、スペース効率を維持できる。したがって、この遊技機によれば、遊技盤を設定可能な空間領域をある程度維持しつつ、遊技機の強度を向上させることができる。
【発明を実施するための最良の形態】
【００２０】
本発明の実施例を図面に基づき詳細に説明する。本実施例では、遊技機の一例としてパチンコ機を用いて説明する。図１は本発明遊技機の一実施例であるパチンコ機の正面図であり、図２は図１に示すパチンコ機の分解斜視図である。
【００２１】
本実施例のパチンコ機１００は、図１及び図２に示すように、第１の機枠としての縦長方形の中枠１と、第２の機枠としての縦長方形の外枠２を備えるとともに、中枠１を外枠２に開口前面側に開閉自在に収容しており、中枠１の内側に遊技盤３を保持し、中枠１の前面側には、前後方向に開口した枠体を備えた前枠４が装着され、その前枠４の直下位置に下球皿６、打球発射装置７等が装着されている。
【００２２】
なお、本実施例において、パチンコ機１００の前側、後側は、パチンコ機１００を正面から見た場合（図１参照）のそれぞれ正面側、裏面側（背面側）を示し、パチンコ機１００の上下左右側は、パチンコ機１００を正面に見て上側、下側、左側及び右側を示す。
【００２３】
前枠４には、枠体の開口位置後方側にガラス材が取り付けられて窓枠１０が形成されている。また、前枠４の枠体前面側の下部位置には、意匠を施された上球皿５が設けられて、前枠４の枠体とともに中枠１に対して横開き状態で開閉可能に組み付け整合されている。さらに、前枠４の前面左側上下端には、中枠１に回動可能に軸支されるための前枠支持部１２（１２a、１２b）が形成されている。
【００２４】
下球皿６には、前面に意匠が施されており、またその前面左側上下端に、中枠１に回動可能に軸支されるための下球皿支持部１３（１３a、１３b）が形成されている。
【００２５】
遊技盤３は、略正面正方形状の板状体の右側上下隅位置を切除して傾斜状部１１を形成した形状を呈している。遊技盤３の表面は、図２に示すように、その前面に打球発射装置７に連なり略円形状の案内レール１５が取付けられ、案内レール１５に囲まれる部分には、液晶表示ディスプレイ（ＬＣＤ）等の表示装置を含む遊技部品や、始動入賞口、大入賞口、ゲート等の入賞装置や装飾部材等の各種装置・部材など（図示しない）が配置されて、所要のゲームを展開し得る遊技領域１４が形成されている。
遊技盤３は、前方側から窓枠１０を介して窓枠１０後方に遊技領域１４を視認できるように中枠１の遊技盤保持空間９に着脱自在に保持される。
【００２６】
中枠１は、上下左右の囲繞枠部１６である上囲繞枠部１６ａ、下囲繞枠部１６ｂ、左囲繞枠部１６ｃ及び右囲繞枠部１６ｄが組合わされて略長方形状の輪郭を有する開口を前後方向に形成している。上囲繞枠部１６ａ、下囲繞枠部１６ｂは各々正面上方側、下方側の囲繞枠部１６を示し、左囲繞枠部１６ｃ、右囲繞枠部１６ｄは各々正面左方側、右方側の囲繞枠部１６を示す。なお、以下、上下の囲繞枠部１６は、上囲繞枠部１６ａと下囲繞枠部１６ｂを示し、左右の囲繞枠部１６は、左囲繞枠部１６ｃと右囲繞枠部１６ｄを示すものとする。
【００２７】
上下の囲繞枠部１６は、これと相対向する外枠２の形状に対しておおよそ整合するような外側輪郭形状を呈している。
上下の囲繞枠部１６の内側面には、遊技盤３の上側側面、下側側面を上下方向から支持する上側面支持部１８、下側面支持部１９が形成されている。上側面支持部１８と下側面支持部１９の右側位置には、遊技盤３の傾斜状部１１の形状と整合するように内側方向に突出して突出部２０が形成されている。この突出部２０には、遊技盤３を前後方向に係止する遊技盤固定具２１が回動可能に装着されている。
【００２８】
上下の囲繞枠部１６には、遊技球を遊技盤３面に打出したり遊技盤３面を流下する遊技球を排出するための遊技機構１７（図４、５）が形成されており、遊技機構１７の後方側には、遊技球を貯留し、供給するための球貯留タンク２２、及び、遊技球の通過する各種の球経路、遊技球の入賞時に入賞球を遊技者へ付与する球払出ユニット２３等といった裏面部材８が装着されている。
【００２９】
上囲繞枠部１６ａ前面左側上端、および下囲繞枠部１６ｂ前面左端下端には、前枠４と下球皿６をそれぞれ上端左側と下端左側で回動可能に支持するために前方に突出形成された支持部材２４、２５が鉛直方向に並んで配設されている。この支持部材２４、２５は、中枠１を外枠２に開閉可能に支持するための部材としても用いられる。
【００３０】
また、下囲繞枠部１６ｂ左端上端には、支持部材２４と支持部材２５の間に鉛直方向に並ぶように、前枠４と下球皿６をそれぞれ下端左側と上端左側で回動可能に支持するために前方に突出形成された支持部材２６が配設されている。
【００３１】
左囲繞枠部１６ｃ及び右囲繞枠部１６ｄは、図３に示すように、中枠１の前後方向後方端側に中枠１内側方向に向かって隆起した第１隆起部２７を形成しており、第１隆起部２７の前方に、第１隆起部２７よりも幅薄な第１薄型部２８を中枠１の前後方向前端側に向かって形成している。
【００３２】
左囲繞枠部１６ｃには、中枠１の内側方向を向いた側面にあって第１薄型部２８の形成された領域内部分に、遊技盤３の前面を支持する支持板３０を前後方向に回動可能に備えた遊技盤支持部材３１が上下に設けられている。
【００３３】
右囲繞枠部１６ｄには、中枠１を外枠２の内側位置で係止する中枠係止具３２と、中枠１の前面内側位置で前枠４を係止する前枠係止具３３と、鍵の回動に応じて中枠係止具３２と前枠係止具３３の位置を囲繞枠部１６の長手方向に摺動させて中枠１と外枠２、前枠４と中枠１の係脱を規制する施錠機構３４とを備えた施錠装置３５が配設されている。
そして、右囲繞枠部１６ｄは、前方に向かってやや外側に張り出して施錠機構３４を前方から全体に被覆するように形成されている。
【００３４】
左右の囲繞枠部１６に形成される第１隆起部２７、第１薄型部２８は、各々左右の囲繞枠部１６の長手方向に連続して形成されている。
また、左右の囲繞枠部１６には、各々上方端よりやや下方位置および下方端よりやや上方位置に、左右の囲繞枠部１６と上下の囲繞枠部１６とを互いに固定するためのネジを通じるネジ孔５２が形成されている。
【００３５】
中枠１は、次のように組み立てられる。
左右の囲繞枠部１６における上下のネジ孔５２の各々の配設位置に、上囲繞枠部１６ａと下囲繞枠部１６ｂの夫々の側面を対面させるとともに、左右の囲繞枠部１６の間に上下の囲繞枠部１６を介在させる。このとき、左右の囲繞枠部１６は、第１隆起部２７の隆起部位を内側に向けるとともに、左囲繞枠部１６ｃの第１隆起部２７に対して右囲繞枠部１６ｄの第１隆起部２７が相対向し、左囲繞枠部１６ｃの第１薄型部２８に対して右囲繞枠部１６ｄの第１薄型部２８が相対向するように配置されている。上下の囲繞枠部１６には、左右の囲繞枠部１６のネジ孔５２に相対向する位置に予め受穴が設けられており、ネジがネジ孔５２を通じて受穴に螺合される。こうして、左右の囲繞枠部１６は、下囲繞枠部１６ｂの左右方向側縁位置に固定され、さらに上囲繞枠部１６ａが、左右の囲繞枠部１６の間に介在して固定され、中枠１が形成される。
【００３６】
中枠１には、上下左右の囲繞枠部１６の内側に遊技盤保持空間９が形成される。
遊技盤保持空間９は、パチンコ機１００の左右方向には、左囲繞枠部１６ｃと右囲繞枠部１６ｄとの間、パチンコ機１００の前後方向には左囲繞枠部１６ｃ、右囲繞枠部１６ｄの第１薄型部２８の前後方向の間に形成される。したがって第１薄型部２８の前後方向の長さは、少なくとも遊技盤保持空間９の前後方向の長さ以上である。
【００３７】
中枠１は、その内側に形成された遊技盤保持空間９に、次のように遊技盤３を保持する。
中枠１には、遊技盤３の側面が左右の囲繞枠部１６の第１薄型部２８と、上下の囲繞枠部１６の上側面支持部１８と下側面支持部１９に対向するように、遊技盤３が遊技盤保持空間９に保持される。すなわち、遊技盤３は、上下左右の囲繞枠部１６によって中枠１内側に囲繞された状態となる。
【００３８】
また遊技盤３は、その後面を左右の囲繞枠部１６の第１隆起部２７に向けるとともに、遊技盤３の前面を左囲繞枠部１６ｃに設けられた遊技盤支持部材３１の支持板３０に当接される。また遊技盤３は、右上下端に形成された傾斜状部１１を、その側面を上下の囲繞枠部１６に形成された突出部２０の側面に対応させて中枠１に配置される。そして、遊技盤固定具２１が傾斜状部１１と突出部２０の対向位置を横切るように回動される。こうして、遊技盤３は、前後方向に中枠１内側に支持される。
【００３９】
なお、このパチンコ機１００においては、中枠１に遊技盤３を保持するにあたり、中枠１の第１隆起部２７が遊技盤３の後面に当接して遊技盤３を係止するように構成していてもよい。これは、中枠１に配設された遊技盤３の後面位置まで第１隆起部２７の前方側が隆起形成されるように囲繞枠部１６を構成することで実現できる。このようなパチンコ機１００では、遊技盤３がその後面で第１隆起部２７に当接しているので、第１隆起部２７が遊技盤３を前後方向に面あたりで支持して、前後方向への遊技盤３のぐらつきを生じることが防止できる。
【００４０】
中枠１は、次のように前枠４と下球皿６を装着する。
中枠１の前面左側上下端に設けた支持部材２４、２５には支持孔３７が、下囲繞枠部１６ｂの左側上端に設けた支持部材２６には支持軸３８が取り付けられており、前枠４の前面左側上端に設けた前枠支持部１２aには上記支持孔３７に嵌り合う軸体が、前枠４の前面左側下端に設けた前枠支持部１２bには上記支持軸３８に嵌り合う嵌合孔が取り付けられ、下球皿６の前面左側上端に設けた下球皿支持部１３aには上記支持軸３８に嵌り合う嵌合孔が、下球皿６の前面左側下端に設けた下球皿支持部１３bには上記支持孔３７に嵌り合う軸体が取り付けられている。
【００４１】
前枠４は、前枠支持部１２aを中枠１の支持部材２４の支持孔３７に対応させるとともに、前枠支持部１２bに中枠１の支持部材２６の支持軸３８が嵌め込まれることにより、中枠１に装着される。
また、下球皿６は、下球皿支持部１３bを中枠１の支持部材２５の支持孔３７に対応させるとともに、下球皿支持部１３aに中枠１の支持部材２６の支持軸３８が嵌め込まれることにより、中枠１に装着される。
こうして、前枠４と下球皿６は、左側の上下が中枠１に設けられた支持部材２４、２５、２６の位置で軸支され、左側を軸として前方に開放するように装着される。
【００４２】
外枠２は、上下左右の収容枠部３９である上収容枠部３９ａ、下収容枠部３９ｂ、左収容枠部３９ｃ及び右収容枠部３９ｄが組合わされて略長方形状の輪郭を有する開口を前後方向に形成している。上収容枠部３９ａ、下収容枠部３９ｂは各々正面上方側、下方側の収容枠部３９を示し、左収容枠部３９ｃ、右収容枠部３９ｄは各々正面左方側、右方側の収容枠部３９を示す。なお、以下、上下の収容枠部３９は、上収容枠部３９ａと下収容枠部３９ｂを示し、左右の収容枠部３９は、左収容枠部３９ｃと右収容枠部３９ｄを示すものとする。
【００４３】
上収容枠部３９ａは、左右に長細な板状体の左右方向やや内側位置から左端に向かって窪んで凹部４１を形成しており、凹部４１には、前方に向かって中枠１を支持する中枠支持部４２を形成している中枠支持部材４３が配設されている。
【００４４】
下収容枠部３９ｂは、左右に長細な板状体の前面にカバー板５３を配設しており、カバー板５３上面左端位置には、上収容枠部３９ａと同様に、前方に向かって中枠１を支持する中枠支持部４２を形成している中枠支持部材４３が配設されている。
上下の収容枠部３９に設けられる中枠支持部材４３は、中枠１を外枠２に収容した状態において上収容枠部３９aの中枠支持部４２を中枠１の支持部材２４の上面に対向させ、下収容枠部３９bの中枠支持部材４３を支持部材２５の下面に対向させるように配設されている。
【００４５】
左収容枠部３９ｃ及び右収容枠部３９ｄは、図３に示すように、外枠２の前後方向後方端側に外枠２内側方向に向かって隆起した第２隆起部４４を形成しており、第２隆起部４４の前方に、第２隆起部４４よりも幅薄な第２薄型部４５を外枠２の前後方向前端側に向かって形成している。
また、第２隆起部４４、第２薄型部４５は、左右の収容枠部３９の各々長手方向に連続して形成されている。
【００４６】
第２隆起部４４は、外枠２内に中枠１を収容した際における外枠２内で中枠１が占める空間（図６における空間Ｔ）領域の外側に形成されるとともに、外枠２に収容される中枠１の開閉に伴ない第１隆起部２７の通過する外枠２内側の空間（図６における空間Ｋ）よりも外側に形成されている。また、第２薄型部４５は、第１薄型部２８とともに、パチンコ機１００の中枠１の開方向に位置している。すなわち第２隆起部４４は、中枠１の開方向に対して反対側の後端側に位置する。したがって、第２隆起部４４は、中枠１を外枠２に対して開く際に障害にならず、第１隆起部２７に衝突せずに、外枠２に対して中枠１を開閉自在に形成されている。
【００４７】
また、左右の収容枠部３９には、上下端位置よりもやや内側位置に、断面L字型の外枠固定具５４を配設するためのネジを螺合させるネジ孔３６が予め形成されており、また、上下の収容枠部３９a、３９bには、左右端位置よりもやや内側位置に、外枠固定具５４を配設するためのネジを螺合させるネジ孔３６が予め形成されている。
【００４８】
外枠２は、次のように組み立てられる。
左右の収容枠部３９の上端位置の間に上収容枠部３９ａを介在させ、左右の収容枠部３９の下端位置の間に下収容枠部３９ｂを介在させて、略長方形状の開口を形成する。このとき、左右の収容枠部３９は第２隆起部４４の隆起部位を内側に向け、上収容枠部３９ａは中枠支持部４２を前方に向け、さらに下収容枠部３９ｂはカバー板５３を前方に向けて配置される。略長方形状の開口の四隅には、断面L字型に屈曲した外枠固定具５４が、配置される。外枠固定具５４には、上下左右の収容枠部３９のネジ孔３６の位置と対応するように取付孔５５が設けられており、外枠固定具５４の取付孔５５に上下左右の収容枠部３９に設けられたネジ孔３６を対応させつつ、ネジが取付孔５５を通じてネジ孔３６に螺合される。こうして、上下左右の収容枠部３９は相互に固定され、略長方形状の開口を形成した外枠２が組み立てられる。
【００４９】
外枠２には、次のように中枠１が開閉自在に収容可能に取り付けられる。
外枠２の中枠支持部材４３の中枠支持部４２には支持軸５６が、中枠１の支持部材２４、２５には支持孔５７が予め設けられている。
そして、中枠１は、支持部材２４、２５の支持孔５７に、外枠２の中枠支持部４２の支持軸５６を嵌め込むことにより、外枠２に中枠１が装着される。
こうして、中枠１は、外枠２に設けた中枠支持部４２の支持軸５６によって軸支され、左側を軸として前方に開放するように取付けられる。
【００５０】
このパチンコ機１００では、施錠装置３５により、中枠１が外枠２に収容された状態や、前枠４が中枠１に装着された状態の形成と解除が、次のように行われる。
施錠装置３５に設けられた前枠係止具３３と中枠係止具３２には、それぞれ中枠１から前枠４方向、中枠１から外枠２方向に向かって突出した鉤型の鉤状部４７が形成されている。そして、前枠４や外枠２においては、前枠係止具３３や中枠係止具３２の鉤状部４７に対して対向する位置に係合部（図示しない）が設けられている。
前枠４全体が中枠１前面に装着されると、前枠係止具３３の鉤状部４７が前枠４の係合部で係合し、これにより中枠１から前枠４が前方に容易に開放されないようになっている。また、中枠１が外枠２に収容されると、中枠係止具３２の鉤状部４７が外枠２の係合部に係合し、これにより外枠２から中枠１が前方に容易に開放されないようになっている。
【００５１】
施錠装置３５に設けられている施錠機構３４には、前面に鍵を差し込む鍵穴が形成されており、鍵穴に差し込まれた鍵の回動に応じて前枠係止具３３と中枠係止具３２に対して上下方向に応力を付与する。前枠係止具３３と中枠係止具３２は、施錠機構３４から応力を受けると、囲繞枠部１６の長手方向に沿って上下に摺動し、前枠係止具３３や中枠係止具３２の鉤状部４７と前枠４や外枠２の係合部との係止状態が形成あるいは解除される。そして、鉤状部４７と係合部との係止状態の形成あるいは解除に対応して、中枠１と外枠２や、中枠１と前枠４の係止状態が形成あるいは解除される。
【００５２】
たとえば、パチンコ機１００では、施錠機構３４がシリンダー錠５８を備え、中枠係止具３２はスプリングを備えていて常に上方に付勢され、また係合部は上方に向かって凹み部位を有し、係合部の凹み部位に鉤状部４７が係合しているように構成することができる。このような場合、通常は、中枠１が外枠２の前方側に開放しないようになっており、シリンダー錠５８に鍵を差し込んで回動させると、施錠機構３４がスプリングによる上方への作用力に抗して下方に動かす応力を中枠係止具３２に対して付与して、鉤状部４７が係合部の凹み位置に係合していた状態が解除され、中枠１は外枠２の前方に開くことができるようになる。
【００５３】
こうして、中枠１と外枠２の係止状態や、中枠１と前枠４の係止状態が解除されると、外枠２に対して中枠１が前方方向に開放可能となり、また、中枠１に対して前枠４が前方方向に向かって開放可能となる。
【００５４】
このパチンコ機１００においては、上記したように右囲繞枠部１６ｄは、前方に向かってやや外側に張り出して施錠機構３４を前方から全体に被覆するように形成されており、中枠１が外枠２に収容されると、施錠機構３４は、その周囲を右囲繞枠部１６ｄの第１薄型部２８と第１隆起部２７および右収容枠部３９ｄの第２薄型部４５と第２隆起部４４で取り囲まれる（図３）。したがって、このパチンコ機によれば、施錠装置３５の施錠機構３４の配設された空間をパチンコ機外部の空間から隔離できるため、パチンコ機外部より施錠機構３４の配設された空間への不正な侵入を防止でき、ゴト防止に貢献できる。
【００５５】
このパチンコ機１００では、中枠１、外枠２に第１薄型部２８、第２薄型部４５が相対向するように形成されている。したがって、外枠２と中枠１との間にデッドスペースが生じることがなく、スペース効率が向上する。そして、中枠１の第１薄型部２８は、遊技盤３の側面が対向しているように形成される。したがって、この遊技機では、遊技盤３保持空間の拡大を図ることができ、遊技盤３を配設可能な領域を十分に拡大することができる。
【００５６】
更に、このパチンコ機１００は、中枠１、外枠２に各々第１隆起部２７、第２隆起部４４を形成しており、この第１隆起部２７や第２隆起部４４により中枠１や外枠２の強度を確保することができる。
【００５７】
また、このパチンコ機１００では、左右の収容枠部３９は、第２隆起部４４が中枠１の第１隆起部２７よりも後方に張り出すように形成される。このようにパチンコ機１００が形成されていると、外枠２に第２隆起部４４を形成するにあたり、中枠１の第１隆起部２７よりも前方に第２隆起部４４が形成されるよりも中枠１の存在による第２隆起部４４の規制が小さいから、第２隆起部４４を大きく形成することができ、パチンコ機１００の外枠２に十分な強度を確保できる。
【００５８】
このパチンコ機１００においては、第２薄型部４５は、第２隆起部４４よりも、中枠１における遊技盤保持空間９から遊技盤３を取出す方向側に位置するように配置されている。もし第２隆起部４４の方が第２薄型部４５よりも遊技盤３を取出す方向に位置するように外枠２が構成された場合、遊技盤３の取出しを第２隆起部４４が邪魔をする。このような場合、実際に中枠１から遊技盤３を取出すには、外枠２の第２隆起部４４が遊技盤３の取出しの邪魔にならない程度にまで一旦中枠１を外枠２から開放した後、遊技盤３の取出しを行うことが必要となり、中枠１の開放作業が煩雑となってしまう。これに対して、第２薄型部４５は第２隆起部４４よりも薄肉に形成されているから、遊技盤３の取出し方向に対する障害にはならない。そうすると、このパチンコ機１００は、第２薄型部４５が、第２隆起部４４より、中枠１における遊技盤保持空間９から遊技盤３を取出す方向側に位置するように配置されることで、外枠２から中枠１を開放する操作を行うことなく、外枠２に中枠１が装着されたままの状態で容易に遊技盤３の着脱を行うことができ、遊技盤３の着脱作業を容易に行うことができる。
【００５９】
このパチンコ機１００においては、左右の囲繞枠部１６の第１薄型部２８には、中枠１の外側方向に第１薄型部２８の厚みに比べてやや幅厚にした第１部分幅厚部５０が部分的に形成されてもよく、左右の収容枠部３９の第２薄型部４５には、外枠２の内側方向及び／又は外側方向に第２薄型部４５の厚みに比べてやや幅厚にした第２部分幅厚部５１が部分的に形成されていてもよい（図７）。
【００６０】
左右の囲繞枠部１６において、第２部分幅厚部５１は、内外方向のいずれか一方にやや幅厚に構成されてもよいが、パチンコ機１００の強度を効率よく上昇させる点からは、内外方向の両方に幅厚にすることが好ましい。ただし、外側方向にあまり幅厚にすると、パチンコ機１００の外寸法が大きくなってしまい、また、内側方向にあまり幅厚にすると、中枠１を外枠２内に収容する際、外枠２の第２部分幅厚部５１が中枠１にぶつかって外枠２内に中枠１を適切に収容できなくってしまう。
【００６１】
第２部分幅厚部５１は、外枠２内に中枠１を収容した際における外枠２内で中枠１が占める空間（図６における空間Ｔ）領域の外側に形成されるとともに、外枠２に収容された中枠１の開閉に伴ない第１隆起部２７の通過する外枠２の内側の空間領域（図６における空間領域Ｋ）よりも外側に形成されている。このようなパチンコ機１００では、中枠１を外枠２から開放する際に第２部分幅厚部５１と第１部分幅厚部５０とがぶつかりあう虞をなくすることができる。
【００６２】
このようなパチンコ機１００においては、中枠１を外枠２に収容した状態において、第１部分幅厚部５０は第２部分幅厚部５１よりもパチンコ機１００の前後方向前方側に配置され、第１隆起部２７は、第２部分幅厚部５１よりもパチンコ機１００の前後方向後方側、且つ、第２隆起部４４よりもパチンコ機１００の前後方向前方側に配置されていてもよい。この場合、第１部分幅厚部５０と第２部分幅厚部５１、および、第１隆起部２７と第２隆起部４４がパチンコ機１００の前後方向に交互にずれた位置に配設される。こうすると、これらが前後方向に重なり合う位置に配置されてしまうことを抑えることができる。パチンコ機１００において左右方向に幅厚な部分の重なり合いがなければ、デッドスペースの形成を抑えつつ幅厚部を形成することができる。したがって、このようなパチンコ機１００によれば、効率よくパチンコ機１００を設置可能な領域を拡大することができつつ、パチンコ機１００の強度を一層確保することもできる。
【００６３】
また、このパチンコ機１００は、前方から後方に向かって、第１部分幅厚部５０、第２部分幅厚部５１の順序で互いにずれた位置に配列される。このようなパチンコ機１００によれば、中枠１を外枠２から開放する際に第１部分幅厚部５０が第２部分幅厚部５１に引っかかる虞を考慮する必要をなくすることができる。
【００６４】
本実施例においては、第１隆起部２７、第１薄型部２８、第１部分幅厚部５０、および、第２隆起部４４、第２薄型部４５、第２部分幅厚部５１は、それぞれ左右の囲繞枠部１６ｃ、１６ｄ、左右の収容枠部３９c、３９dの長手方向の全体に連続して形成されているが、このパチンコ機１００では、第１隆起部２７、第１部分幅厚部５０、および、第２隆起部４４、第２部分幅厚部５１が断続的に不連続に形成されていてもよい。ただし、本実施例に示すように第１隆起部２７、第１薄型部２８、第１部分幅厚部５０、および、第２隆起部４４、第２薄型部４５、第２部分幅厚部５１が連続的に形成されていると、左右の囲繞枠部１６や左右の収容枠部３９の成形が簡単であるという利点があるばかりか、不連続に形成されているよりも強度の向上を図ることができて好ましい。
【００６５】
このパチンコ機１００においては、図３、７に示すように、第１部分幅厚部５０と第２部分幅厚部５１および第１隆起部２７と第２隆起部４４は夫々中空に形成されている場合を実施例としているが、中実に形成されてもよい。ただし、第１隆起部２７、第２隆起部４４、第１部分幅厚部５０、第２部分幅厚部５１が中空に形成されていると、中実状に形成されている場合と比較して軽量な枠部を提供できる点において好ましい。
【００６６】
本発明においては、第１隆起部２７や第１部分幅厚部５０につき、囲繞枠部１６の長手方向と交差する断面形状は、特に限定されず、断面Ｐ字状のほか、その断面形状は三角形状或いは四角状等の多角形状、多角形状の角を面取りした形状、断面が円形或いは円類似形状等であってもよい。このことは、第２隆起部４４や第２部分幅厚部５１についての収容枠部３９の長手方向と交差する断面形状に対しても同様である。
【００６７】
第１隆起部２７と第２隆起部４４は、平板の板材を曲げ加工することにより第１隆起部２７、第２隆起部４４が形成される場合は、折曲げられた先端が板材の方向を向くように形成される。この折曲げられた先端は、板材に直接接触せずに離れていてもよいが、その先端と板材とが接していると、折曲げられた先端が板材に直接接触せずに離れて例えばＬ字状やＴ字状、U字状の断面形状の収容枠部３９や囲繞枠部１６が形成されるような場合と比較して、外枠２にねじれなどの応力が加わった際の抵抗力が大きくなり、パチンコ機１００の耐衝撃性が良好となるため好ましい。
【００６８】
本発明において、外枠２の上下左右の収容枠部３９ａ〜３９ｄのうち第２隆起部４４と第２薄型部４５を形成するのは、少なくとも左収容枠部３９ｃ及び右収容枠部３９ｄであることが好ましく、更に好ましくは上収容枠部３９ａも第２隆起部４４と第２薄型部４５を形成していることが望ましい。こうすると、遊技盤３の設置可能な領域を上下方向にも拡大することができる。
また、パチンコ機１００においては、上下左右の収容枠部３９ａ〜３９ｄのうちのいずれか１つに第２隆起部４４と第２薄型部４５を形成することもできる。その場合、上下左右の収容枠部３９a〜３９dのうち、中枠１を軸支する支持軸５６から遠い位置にある右収容枠部３９ｄに第２隆起部４４と第２薄型部４５を形成することが好ましい。
【００６９】
本発明において、中枠１の上下左右の囲繞枠部１６ａ〜１６ｄのうちのいずれか１つに第１隆起部２７と第１薄型部２８を形成することもできる。その場合、上下左右の囲繞枠部１６a〜１６dのうち、前枠４を軸支する支持軸３８から遠い位置にある右囲繞枠部１６ｄに第１隆起部２７と第１薄型部２８を形成することが好ましい。
【００７０】
本発明において、外枠２が上下左右の収容枠部３９を外枠固定具５４といった接合部材とネジを用いて接合形成される場合を例としたが、これに限られず、外枠２は、例えば、上下左右の収容枠部３９の端部に接合部を延設形成して、各々上下左右の収容枠部３９をボルトナットや溶接などの各種接合手段を用いて接合形成してもよい。また、パチンコ機１００は、上下左右の収容枠部３９の接合位置に、さらに補強部材等を用いて接合強度を向上させてもよい。
【００７１】
このパチンコ機１００においては、左右の囲繞枠部１６と左右の収容枠部３９は、各々金属からなるように構成されていてもよい。すなわち、第１隆起部２７と第１薄型部２８を形成している囲繞枠部１６や、第２隆起部４４と第２薄型部４５を形成している収容枠部３９は、金属から形成されていてもよい。このような場合、これらを形成する金属は、アルミニウム合金、またはマグネシウム合金等であることが好ましい。金属により囲繞枠部１６や収容枠部３９を形成する場合には、第１隆起部２７と第１薄型部２８を形成している囲繞枠部１６（左右の囲繞枠部１６）や、第２隆起部４４と第２薄型部４５を形成している収容枠部３９（左右の収容枠部３９）を除いて中枠１、外枠２を構成している囲繞枠部１６（上下の囲繞枠部１６）や収容枠部３９（上下の収容枠部３９）についても、金属により形成して、中枠１や外枠２全体を金属製としてもよい。金属からなる囲繞枠部１６や収容枠部３９は金属成形により製造することができる。金属成形として具体的にはアルミニウム合金またはマグネシウム合金の異形押出により成形する方法が挙げられる。
このように外枠２を構成する枠部を金属製とすると、パチンコ機１００の強度を一層向上させることができる。金属製の枠部は、木製の枠部と比較して、剛性及び耐熱性が優れていることから、遊技者が加熱した折曲棒体等で枠部の一部を損壊させてパチンコ機１００外部から内部の部品に接触するなどといった不正行為がなされることを抑制できる。
【００７２】
さらに外枠２を構成する枠部を金属製とすることで、パチンコ機１００内部に設置される装置類から延びているアース線の接続部位が限定されることなく、広い放電面積を確保することができるから、放電効率の向上を図ることができ、設計の自由度を確保することができる。
【００７３】
加えて、金属がアルミニウム合金であれば、再加熱・溶解させて再び枠体の成形材料として再利用することも容易であり、リサイクル性の向上を図ることができる。そして、リサイクル性を向上させることで、資源の有効利用に好適に対応可能なパチンコ機１００を提供することができる。
【００７４】
また、木材よりも剛性の高い金属を各枠部の成形材料に採用した場合、木製の枠部に比較して、中枠１、外枠２の両方をより薄肉に成形できる。その結果、パチンコ機１００は、中枠１における遊技盤保持空間９を更に効率良く拡大できる。
【図面の簡単な説明】
【００７５】
【図１】本発明の遊技機の実施例の１つであるパチンコ機の概略正面図である。
【図２】図１のパチンコ機の分解斜視図である。
【図３】図１のパチンコ機のＡ−Ａ線断面概略図である
【図４】本発明の遊技機の実施例の１つであるパチンコ機の中枠を示す前方斜視図である。
【図５】本発明の遊技機の実施例の１つであるパチンコ機の中枠を示す後方斜視図である。
【図６】本発明の遊技機の実施例の１つであるパチンコ機の中枠の開閉状態を示す説明図である。
【図７】本発明の遊技機の実施例の１つであるパチンコ機における他の実施例についての図３に相当する図である。
【符号の説明】
【００７６】
１  中枠
２  外枠
３  遊技盤
４  前枠
５  上球皿
６  下球皿
７  打球発射装置
９  遊技盤保持空間
１０  窓枠
１１  傾斜状部
１２、１２ａ、１２ｂ  前枠支持部
１３、１３ａ、１３ｂ  下球皿支持部
１４  遊技領域
１５  案内レール
１６  囲繞枠部
１６ａ  上囲繞枠部
１６ｂ  下囲繞枠部
１６ｃ  左囲繞枠部
１６ｄ  右囲繞枠部
１７  遊技機構
１８  上側面支持部
１９  下側面支持部
２０  突出部
２１  遊技盤固定具
２２  球貯留タンク
２３  球払出ユニット
２４、２５、２６  支持部材
２７  第１隆起部
２８  第１薄型部
３０  支持板
３１  遊技盤支持部材
３２  中枠係止具
３３  前枠係止具
３４  施錠機構
３５  施錠装置
３６、５２  ネジ孔
３７、５７  支持孔
３８、５６  支持軸
３９  収容枠部
３９ａ  上収容枠部
３９ｂ  下収容枠部
３９ｃ  左収容枠部
３９ｄ  右収容枠部
４１  凹部
４２  中枠支持部
４３  中枠支持部材
４４  第２隆起部
４５  第２薄型部
４７  鉤状部
５０  第１部分幅厚部
５１  第２部分幅厚部
５３  カバー板
５４  外枠固定具
５５  取付孔
５８  シリンダー錠
１００  パチンコ機
Ｔ、Ｋ  空間
【図１】
2006320449.tif 000003
【図２】
2006320449.tif 000004
【図３】
2006320449.tif 000005
【図４】
2006320449.tif 000006
【図５】
2006320449.tif 000007
【図６】
2006320449.tif 000008
【図７】
2006320449.tif 000009